(57)【要約】【課題】試料の観察、分析などにおいて、試料表面の汚染物を効果的に除去する。【解決手段】走査型電子顕微鏡１０の試料室４０内に、スポット照射型エキシマランプ１００を配置し、固定部１２２、連結部１２４から成る支持部材１２０によって試料室側壁４０Ｓに取り付ける。そして、その光放射面１０５が試料表面５０Ｓを向くように、エキシマランプ１００の取り付け位置を調整する。【選択図】図１
2018006100.tif 000002
【特許請求の範囲】
【請求項１】
紫外光放射面から紫外光を放射する紫外光源と、
試料が配置される試料室と、
前記紫外光放射面が前記試料を向くように、前記紫外光源を支持する支持部材とを備え、
前記紫外光放射面が、前記試料室内において、前記試料室内壁よりも前記試料に近い位置で露出していることを特徴とする紫外線照射装置。
【請求項２】
前記紫外光源が、試料表面の所定領域に紫外光を照射するように位置決めされていることを特徴とする請求項１に記載の紫外線照射装置。
【請求項３】
前記紫外光源が、前記試料室内に設置され、
前記支持部材が、前記試料室の内壁と接続することを特徴とする請求項１又は２に記載の紫外線照射装置。
【請求項４】
前記紫外光源が、前記紫外光放射面を底部とする有底筒状の外側管を有し、紫外光をランプ軸に沿って前記紫外光放射面から放射するエキシマランプであることを特徴とする請求項１乃至３のいずれかに記載の紫外線照射装置。
【請求項５】
前記エキシマランプが、前記外側管を囲むとともに、導電性、紫外光反射特性、熱伝導性の少なくともいずれか１つを有するランプ取付部材を備えたことを特徴とする請求項４に記載の紫外線照射装置。
【請求項６】
前記ランプ取付部材が、導電性を有し、前記エキシマランプの外側電極として構成されることを特徴とする請求項５に記載の紫外線照射装置。
【請求項７】
前記ランプ取付部材が、その内面に紫外光反射部材を設けていることを特徴とする請求項５又は６に記載の紫外線照射装置。
【請求項８】
前記ランプ取付部材が、熱伝導性部材を有することを特徴とする請求項５乃至７のいずれかに記載の紫外線照射装置。
【請求項９】
前記ランプ取付部材を覆うように断熱性部材が設けられていることを特徴とする請求項５乃至８のいずれかに記載の紫外線照射装置。
【請求項１０】
前記支持部材が、試料表面に対する前記紫外光放射面の向きと、前記紫外光放射面の試料表面に対する距離間隔のうち少なくともいずれか一方を変更させることが可能な調節機構を有することを特徴とする請求項１乃至９のいずれかに記載の紫外線照射装置。
【請求項１１】
前記支持部材が、前記試料室の内壁に対する前記紫外光源の角度を調整可能なように、前記紫外光源を支持することを特徴とする請求項１０に記載の紫外線照射装置。
【請求項１２】
前記支持部材が、前記試料室の内壁に固定される固定部と、光源保持部を前記試料室の内壁に接続させる連結部とを有し、
前記紫外光源が、前記連結部に対する角度が調整可能に、前記連結部によって支持されていることを特徴とする請求項１０又は１１に記載の紫外線照射装置。
【請求項１３】
試料が配置される試料室に対し、紫外光を紫外光放射面から放射するエキシマランプを、前記紫外光放射面が前記試料を向くように設置し、
前記紫外光放射面が前記試料室の内壁よりも前記試料に近い位置で前記試料室の内部空間に露出する状態で、紫外光を前記紫外光放射面から試料に向けて照射させることを特徴とする紫外線照射による試料汚染物除去方法。
【請求項１４】
試料が配置される真空容器と、
紫外光を紫外光放射面から放射する紫外光源と、
前記紫外光放射面が前記真空容器に配置された試料を向くように、前記紫外光源を支持する支持部材とを備え、
前記紫外光放射面が、前記真空容器内において、前記真空容器の内壁よりも前記試料に近い位置で露出していることを特徴とする真空容器装置。
【請求項１５】
請求項１４に記載された真空容器装置を備えたことを特徴とする電子顕微鏡。
【発明の詳細な説明】
【技術分野】
【０００１】
本発明は、走査型電子顕微鏡などによって観察、分析される試料に付着する汚染物を除去する装置に関し、特に、紫外線照射による汚染物除去に関する。
【背景技術】
【０００２】
走査型電子顕微鏡などを用いて試料（例えば、半導体集積回路、レチクルなど）を観察、分析する場合、試料を真空容器である試料室内に配置して観察、分析を行う。このとき、大気中での試料放置、真空容器からのガス拡散、あるいは一次電子の照射などに起因して、炭素化合物などの汚染物が試料表面に付着、堆積する。汚染物付着（コンタミネーション）が生じると観察、分析の障害となるため、汚染物を除去する必要がある。
【０００３】
汚染物の除去方法としては、紫外光を試料に照射する方法が知られている（特許文献１参照）。そこでは、試料室とは別の真空容器を設けて試料を配置し、この真空容器に隣接するように紫外光を照射するランプユニットを配置する。そして、真空容器の照射窓を介して紫外光を試料室内に照射する。
【０００４】
紫外線を試料表面に照射することにより、汚染物の分子結合が切断されるとともに、真空容器内に残留する酸素が活性化し、オゾンが発生することで、汚染物が除去される。試料を支持する支持台は昇降可能に設置されており、試料に応じてその高さ、すなわちランプユニットとの距離が調整される。
【先行技術文献】
【特許文献】
【０００５】
【特許文献１】特開２００２−１９５９６５号公報
【発明の概要】
【発明が解決しようとする課題】
【０００６】
試料室外部から照射窓を通じて試料室内を照射する場合、汚染物が付着していない部分にも紫外線を照射することにより、紫外光が減衰して汚染物除去昨日が低下する。また、試料表面の照射対象領域外や汚染物が付着していない部分にも、紫外光を照射することになり、不要なガス発生、試料損傷などが生じる。さらに、試料室内に設置された試料台などの部品に対しても紫外線が照射することとなり、不要なガス放出や部品劣化を生じさせる。
【０００７】
したがって、紫外線照射による試料汚染物の除去処理において、汚染物除去機能の低下なく、試料損傷、不要ガス発生などを抑えることが求められる。
【課題を解決するための手段】
【０００８】
本発明の紫外線照射装置は、紫外光放射面から紫外光を放射する紫外光源と、試料が配置される試料室と、紫外光放射面が試料を向くように、紫外光源を支持する支持部材とを備え、紫外光放射面が、試料室内において、試料室内壁よりも試料に近い位置で露出している。
【０００９】
紫外光源が試料室を全体的に放射するような照明の代わりに、所望する範囲に照射可能となる紫外光源照射の構成を提供することで、適切な範囲で紫外光を照射することが可能となる。例えば、汚染物除去部分のみ紫外光を照射することを考えれば、紫外光源を、試料表面の所定領域に紫外光を照射するように位置決めすることが可能である。
【００１０】
紫外光源の配置は、放射面が試料室内部に曝け出していることを条件として任意である。例えば、紫外光源を前記試料室内に設置すればよく、支持部材が、試料室の内壁と接続するように構成することが可能である。
【００１１】
紫外光源の構成としては任意の光源を適用することが可能であり、一方向に向く紫外光放射面を備えた光源を適用することが可能である。例えば、紫外光源は、紫外光放射面を底部とする有底筒状の外側管を有し、紫外光をランプ軸に沿って紫外光放射面から放射するエキシマランプによって構成することが可能である。
【００１２】
このようなエキシマランプに対しては、紫外線照射中のランプ加熱、効率的な紫外線照射などを考慮し、外側管を囲むとともに、導電性、紫外光反射特性、熱伝導性の少なくともいずれか１つを有するランプ取付部材を備えるように構成することができる。ランプと試料との間に遮る部材が存在せず、ランプからの紫外光が直接試料表面に照射されるようにするために真空容器である試料室内部にランプを配設すると、真空により断熱されてランプが過熱状態となることによって発光効率が低下し、汚染物除去機能が低下する。そこで、導電性、紫外光反射特性、熱伝導性の少なくともいずれか１つ備えることにより、ランプ過熱状態を防ぐことができる。ランプ取り付け部材は、例えばハウジング、収容器など、ランプ部分を覆ったり収容するような部材で構成することが可能である。なお、エキシマランプ以外の光源についても、そのような取り付け部材を設けることが可能である。
【００１３】
エキシマランプの構成を簡易化することを考慮すれば、ランプ取付部材を、導電性を有し、前記エキシマランプの外側電極として構成することが可能である。また、紫外光放射面から効率よく光を導出するため、ランプ取付部材にその内面に紫外光反射部材を設けてもよい。また、ランプの過熱を防ぐことを考慮し、ランプ取付部材に熱伝導性部材を設けてもよい。さらに、ランプ取付部材を覆うように断熱性部材を設けるようにしてもよい。
【００１４】
支持部材の構成は任意であり、効果的に紫外光放射面を試料に向ける光源姿勢に調整できることが望ましい。支持部材において、試料表面に対する紫外光放射面の向きと、紫外光放射面の試料表面に対する距離間隔のうち少なくともいずれか一方を変更させることが可能な調節機構を設けることが可能である。
【００１５】
例えば支持部材は、試料室の内壁に対する紫外光源の角度を調整可能なように、紫外光源を支持することができる。また、試料室の内壁に固定される固定部と、光源保持部を試料室の内壁に接続させる連結部とを備えた支持部材を構成し、紫外光源を、連結部に対する角度が調整可能に、連結部によって支持するようにしてもよい。
【００１６】
本発明の他の態様における紫外線照射による試料汚染物除去方法は、試料が配置される試料室に対し、紫外光を紫外光放射面から放射するエキシマランプを、紫外光放射面が試料を向くように設置し、紫外光放射面が試料室の内壁よりも試料に近い位置で試料室の内部空間に露出する状態で、紫外光を紫外光放射面から試料に向けて照射させる。このような試料汚染物除去方法は、電子顕微鏡など試料室、真空容器を備えた様々な装置に適用可能である。
【００１７】
本発明の他の態様における真空容器を備えた装置（真空容器装置）は、電子顕微鏡など試料室を備えた様々な装置に適用可能であって、試料が配置される真空容器と、紫外光を紫外光放射面から放射する紫外光源と、紫外光放射面が前記真空容器に配置された試料を向くように、紫外光源を支持する支持部材とを備え、紫外光放射面が、真空容器内において、真空容器の内壁よりも試料に近い位置で露出している。
【発明の効果】
【００１８】
本発明によれば、試料の観察、分析などにおいて、試料汚染物を効果的に除去することができる。
【図面の簡単な説明】
【００１９】
【図１】本実施形態である走査型電子顕微鏡の試料室を中心とした概略的構成を示した図である。
【図２】エキシマランプを光放射面側から見た平面図である。
【図３】図２のIII−III’に沿ったエキシマランプの断面図である。
【図４】図３IV−IV’に沿ったエキシマランプの断面図である。
【発明を実施するための形態】
【００２０】
以下では、図面を参照して本発明の実施形態である紫外線照射装置を備えた電子顕微鏡について説明する。
【００２１】
図１は、本実施形態である走査型電子顕微鏡の試料室を中心とした概略的構成を示した図である。図２は、エキシマランプを光放射面側から見た平面図である。
【００２２】
走査型電子顕微鏡１０は、電子銃、集束レンズ、走査用偏向器、対物レンズ（いずれも図示せず）などを備えた鏡筒２０と、二次電子検出器３０と、試料室４０とを備え、試料室４０には、観察対象となる試料（例えばレチクルや半導体回路など）５０が支持台６０に搭載されている。
【００２３】
一次電子線を放出する鏡筒２０は、その先端部２０Ｂが試料室４０の上壁４０Ａの中央部に嵌入した状態で取り付けられている。試料５０から放出される二次電子を検出する二次電子検出器３０は、上壁４０Ａを貫通して鏡筒先端部２０Ｂの傍に取り付けられている。
【００２４】
試料室４０の下壁４０Ｂには、試料室４０内を真空排気するための真空ポンプ（図示せず）と繋がる排気管４２が設けられている、排気管４２により、試料室４０は一次電子線、二次電子線が通過可能な高真空状態に維持された真空容器となる。
【００２５】
試料室４０に隣接する予備排気室４５は、試料室４０の側壁４０Ｓに形成された開口部４１を介して試料室４０と繋がっており、仕切弁（図示せず）が開口部４１を開閉する。予備排気室４５の側壁に形成された開口部４６によって試料４０の出し入れが可能となり、開閉弁（図示せず）により開口部４６を開閉する。また、予備排気室４５の下壁には、真空排気するための真空ポンプ（図示せず）と繋がる排気管４７が形成されている。
【００２６】
鏡筒２０内の電子銃から放出される一次電子ビームは、集束レンズ、対物レンズを介して試料５０の表面５０Ｓに集束され、走査用偏向器によって試料表面５０Ｓの所定領域に対して走査される。走査によって試料表面５０Ｓから放出される二次電子は、二次電子検出器３０によって検出される。検出された二次電子信号に対して従来公知の画像処理を施すことにより、試料５０の表面形状が画像化され、試料イメージがモニタ（図示せず）に表示される。
【００２７】
試料室４０内部には、筒型のエキシマランプ１００が配置されており、試料室側壁４０Ｓに取り付けられた支持部材１２０によって支持されている。誘電体バリヤ放電あるいは静電容量型放電によって発光するエキシマランプ１００は、ここでは単体光源で構成されており、１７２ｎｍの紫外光を光放射面１０５からランプ軸に沿って一方向に照射するスポット照射型ランプとして構成されている。
【００２８】
エキシマランプ１００は、鏡筒２０からの電子ビーム照射、二次電子検出器３０の二次電子検出の障害とならない上壁４０Ａの隅付近に配置されており、ここでは、光放射面１０５が試料表面５０Ｓを向くように位置決めされている。すなわち、紫外光が試料表面５０Ｓに対して斜め上方向から照射するようにエキシマランプ１００が位置決めされている。
【００２９】
エキシマランプ１００を支持する支持部材１２０は、試料室側壁４０Ｓに固定される固定部１２２と、連結部１２４とを備え、アルミニウムなどの金属など熱伝導性のある素材によって成形されている。支持部材１２０は、エキシマランプ１００の試料室４０内における位置、姿勢を調整可能なように、エキシマランプ１００を支持する。
【００３０】
具体的には、連結部１２４は、固定部１２２に対して取り付け角度調整可能に固定されており、軸Ｂ１にネジ（図示せず）を締め付けることによって固定される。一方、連結部１２４は、エキシマランプ１００をその側面片側で保持し、軸Ｂ２にネジ（図示せず）を締め付けることによってエキシマランプ１００が連結部１２４に固定される。
【００３１】
したがって、２つの軸Ｂ１、Ｂ２回りに連結部１２４、エキシマランプ１００の角度調整を行うことで、エキシマランプ１００の試料室４０内における姿勢、より具体的には光放射面１０５の試料表面５０Ｓに対する角度およびその距離間隔が設定される。
【００３２】
エキシマランプ１００は、その外周部分に筒状のランプ取付部材１１０を備え、光放射面１０５とその反対側の封止部１００Ｂを除いてエキシマランプ１００の光源部分を試料室４０の内部空間４０Ｔに露出させないようにしている。ランプ取付部材１１０は、ここでは一対の半円筒状部材を締め付けネジ（図示せず）によって一体化することで構成されている。
【００３３】
図３は、図２のIII−III’に沿ったエキシマランプの断面図である。図４は、図３のIV−IV’に沿ったエキシマランプの断面図である。
【００３４】
エキシマランプ１００は、石英ガラスなどの誘電材料から成る内側管１３０および外側管１４０を備える。外側管１４０は、平坦な光放射面１０５と、外側管縮径によって内側管１３０と溶着、形成された封止部１００Ｂを有し、管内部に内側管１３０を収容する。
【００３５】
内側管１３０の内壁中心付近には、Ｍｏなどの帯状内側電極１２０’が埋設されており、内側電極１２０は給電線１２０Ｌと接続されている。内側管１３０、外側管１４０から構成される発光管は、放電空間１３５を形成し、Ｘｅなどの希ガスもしくは希ガスとハロゲンガスの混合ガスが放電空間１３５に封入されている。
【００３６】
上述したエキシマランプ１００のランプ取付部材１１０は、ここでは外側電極として構成されており、アース側に接続されている。ランプ取付部材１１０の内面は、アルミニウム膜などの薄膜状（箔状）の紫外線反射部材（図示せず）が設けられている。ランプ取付部材１１０は、アルミニウムや銅など、熱伝導性および導電性を有する金属などによって形成されている。
【００３７】
エキシマランプ１００は、図１に示す光源制御装置１５０によって点灯制御される。エキシマランプ１００は、短時間の点灯／消灯を繰り返し行うことが可能であり、オペレータなどの入力操作に応じて点灯時間などを設定可能である。
【００３８】
以下、紫外光照射による試料汚染物除去について説明する。
【００３９】
エキシマランプ１００は、連結部１２４の固定部１２２に対する取り付け角度およびエキシマランプ１００に対する取り付け角度を調整することによって、所望の位置に位置決めされる。具体的には、試料表面５０Ｓに対して所定領域に紫外線が照射するように、その光放射面１０５の試料表面５０Ｓに対する角度および距離間隔を所望する角度、距離間隔が定められる。また、試料室４０内のガスに酸素を含有させるようにしておく。
【００４０】
エキシマランプ１００の外側電極（ランプ取付部材）１１０、内側電極１２０に対して電圧が印加されると、放電空間１３５において誘電体バリヤ放電（あるいは静電容量型放電）が生じる。上述したように、ランプ取付部材１１０内面はアルミニウム膜が形成されているため、径方向に放射する紫外光はそのアルミニウム膜によって反射を繰り返し、その結果、紫外光がエキシマランプ１００の光放射面１０５からランプ軸に沿って放出され、試料表面５０Ｓの所定領域に照射される。
【００４１】
エキシマランプ１００が試料室４０の内部空間４０Ｔに配置されていることから、その光放射面１０５は内部空間４０Ｔに露出している。すなわち、光放射面１０５は内部空間４０Ｔに曝け出している。光放射面１０５と試料５０との間に遮る部材が存在せず、紫外光が直接試料表面５０Ｓに照射される。
【００４２】
スポット照射型ランプであるエキシマランプ１００を試料室４０内の上壁４０Ａの隅付近に配置して紫外光を照射することにより、光放射面１０５と試料表面５０Ｓの照射対象領域との間の空間に鏡筒先端部２０Ｂなど他の試料室内部の部材が入り込むことがなく、紫外光は試料表面５０Ｓの照射対象領域外に照射されない。
【００４３】
エキシマランプ１００は、適切な温度で点灯することによって所望の波長（ここでは１７２ｎｍ）の紫外線を照射することができる。エキシマランプ１００が過熱状態になると、汚染物除去機能が低下する。また、ランプ過熱により、封止部１００Ｂに熱膨張差に起因するクラックが発生し、ランプ破損の恐れが生じる。
【００４４】
しかしながら、エキシマランプ１００のランプ取付部材１１０、およびそれに連結する支持部材１２０（固定部１２２、連結部１２４）がいずれも熱伝導性を有するため、ランプ点灯によって生じた熱は、ランプ取付部材１１０、連結部１２４、固定部１２２を介して試料室内壁４０Ｓに速やかに伝達され、エキシマランプ１００の過熱が防止される。
【００４５】
エキシマランプ１００をランプ軸方向に沿って一様放電させるためには、ランプ軸方向に沿って電気抵抗の影響を考慮する必要がない程度まで、内側電極１２０と外側電極１１０の導電率を高める（電気抵抗を小さくする）必要がある。本実施形態では、ランプ取付部材１１０を外部電極として構成し、内側電極１２０とランプ軸に沿って全体的に等距離間隔で対向しているため、紫外線照度が電気抵抗増大によって低くなるようなことがなく、紫外線照度が高められた状態になっている。
【００４６】
紫外線が試料表面５０Ｓの所定領域に照射すると、活性酸素およびオゾンが、試料室４０に残存する酸素によって試料表面５０Ｓの近傍に生成し、また、紫外線照射によって汚染物の分子結合が切断される。この光分解作用によって分解された炭化水素などの分子が活性化酸素、オゾンと反応し、水、二酸化炭素となって除去される。
【００４７】
紫外線をスポット照射している間、エキシマランプ１００の光放射面１０５から放射される紫外光は、鏡筒先端部２０Ｂ、二次電子検出器３０など試料室４０内部にある機器、部材などに照射されない。そのため、不必要なガス放出や、部材劣化などが生じない。そして、エキシマランプ１００の短時間照射を繰り返し行うことにより、活性酸素、オゾン生成を精密に制御し、照射所定領域に必要な時間だけ紫外線照射を行う。
【００４８】
その結果、必要な量を超える活性酸素、オゾン発生によって不要なガス放出、試料表面５０Ｓの汚染物が堆積していない部分の損傷などを抑えながら、汚染物が除去される。
【００４９】
ランプ取付部材については、その形状は円柱状に限定されない。また、エキシマランプ保持構造についても、試料室内壁に対する角度あるいはエキシマランプに対する角度のどちらか一方が角度調整可能にエキシマランプを支持するように構成してもよく、他の支持構造で試料室内壁に機械的、熱的、電気的に接続させてもよい。
【００５０】
ランプ取付部材の紫外光反射構造に関しては、ランプ取付部材内面にアルミ膜などの紫外光反射部材を設ける代わりに、ランプ取付部材内面を鏡面状に形成し、あるいは、外側電極の内周面を鏡面仕上げにすることも可能である。また、ランプ取付部材の導電性に関しては、ランプ取付部材内周面に設けた紫外光反射部材とランプ取付部材との間に外側電極を設けるようにしてもよい。熱伝導性、導電性、反射特性いずれか１つをもつようにランプ取付部材を設けることが可能である。
【００５１】
ランプ熱の放熱に関しては、試料室内壁に熱を伝達させる代わりに、試料室外部へ熱を伝達させるように構成してもよい。さらに、ランプ取付部材の外周を断熱部材で覆うことによって、試料室内の部材が加熱されてガス放出するのを防ぐように構成してもよい。断熱部材としては、例えば、ポリイミド、ガラス、セラミックスなどがある。
【００５２】
試料表面に対する照射領域に関しては、その一部領域を照射領域とせずに試料全体を照射領域にすることも可能である。スポット照射型エキシマランプの紫外光照射角度、試料表面との距離間隔を調整することにより、試料のサイズなどに応じて照射領域を設定すればよい。また、スポット照射型エキシマランプのサイズ、光放射面のサイズを調整することでも照射領域を適宜変更することが可能である。
【００５３】
エキシマランプ以外の紫外光放射光源を使用することも可能であり、光放射面から一定方向に照射するスポット照射型光源を用いることが可能である。さらに、エキシマランプなどの光源全体を試料室内部に配置する構成に限定されず、少なくとも光放射面が試料内壁よりも試料に近く（試料室壁面よりも内部空間側に突出し）、試料空間内部で露出、曝させるように構成すればよい。その光放射面が試料室内壁（照射窓など）に形成される構成ではないことで、光放射面を任意の位置に定めることが可能となる。
【００５４】
本実施形態では、試料室内部にエキシマランプを配置する電子顕微鏡で構成されているが、試料室とは別に前処理室、あるいは専用紫外線照射室などを設け、そこで紫外線照射を行うように構成してもよく、また、電子顕微鏡以外の装置であって、試料を観察、分析、あるいは計測可能な装置や、紫外線照射処理やオゾン処理を行う真空容器装置に適用することも可能である。
【００５５】
このように本実施形態によれば、走査型電子顕微鏡１０の試料室４０内に、スポット照射型のエキシマランプ１００を配置し、固定部１２２、連結部１２４から成る支持部材１１２によって試料室側壁４０Ｓに取り付ける。そして、その光放射面１０５が試料表面５０Ｓを向くように、エキシマランプ取り付け位置を調整する。光放射面１０５から放出した紫外光は、試料表面５０Ｓの所定領域を照射する。試料損傷、試料室内の部材劣化、不要なガス放出を防ぐとともに、簡易な構成であるため、試料室周辺のスペースに制限のある電子顕微鏡などの装置、機器に対し、装備することが可能となる。
【符号の説明】
【００５６】
１０  走査型電子顕微鏡
４０  試料室
５０  試料
５０Ｓ  試料表面
１００  エキシマランプ（紫外光源）
１０５  光放射面（紫外光放射面）
１１０  ランプ取付部材
１２０  支持部材
１２２  固定部
１２４  連結部
【図１】
2018006100.tif 000003
【図２】
2018006100.tif 000004
【図３】
2018006100.tif 000005
【図４】
2018006100.tif 000006